(57)【特許請求の範囲】
【請求項１】
室内外を区分する壁体が、外壁構造と、この外壁構造の内側に設けられた構造材と、この構造材の室内側に張設された内壁材とを備えた構造であり、
前記壁体を横断して設けられ、室内外に通じる通風路を構成する換気開口部品であって、
前記壁体の外壁構造に開けられた貫通孔に挿通され、固定部品で前記外壁構造を挟持して装着され、その外壁構造から前記内壁材の背面近くまでの通風路を形成する直管形の第１の風路部材と、
前記第１の風路部材の室内側開口端に外嵌合によって嵌められ、前記第１の風路部材と連結部品により連結され、前記第１の風路部材端から前記内壁材の室内側までの通風路を形成する第２の風路部材と、
前記第２の風路部材の室内側に嵌め装着され、前記内壁材の内面に沿って、前記第２の風路部材の室内側を覆う、通風孔を有する意匠パネルとを備え、
前記意匠パネルの通風孔は、前記第２の風路部材の室内開口部のプロフィールに倣った形状のスリットであり、前記スリットの外側縁に前記第２の風路部材の室内開口部に内嵌合させる嵌込部が設けられている換気開口部品。
【請求項２】
請求項１に記載の換気開口部品であって、前記壁体の外壁構造が外壁材とこの内側に設けられた断熱壁材とからなり、前記第１の風路部材は、外壁材の室外側面と断熱壁材の室内側面とをパッキンを挟んで挟持する前記固定部品によって前記外壁構造に固定される構成である換気開口部品。
【請求項３】
請求項１又は請求項２のいずれかに記載の換気開口部品であって、前記第２の風路部材は、室内側に内壁材の室内側面に沿うフランジを備え、前記第１の風路部材の室内側開口端に外嵌合によって嵌められ、連結部品により連結される換気開口部品。
【請求項４】
請求項２に記載の換気開口部品であって、前記第１の風路部材は外周にネジ山を備えた管体であり、前記連結部品及び前記固定部品は、前記第１の風路部材にネジ嵌めされるリング構造である換気開口部品。
【請求項５】
請求項１から４のいずれかに記載の換気開口部品であって、前記意匠パネルの通風孔を除く背面に吸音材を貼着した換気開口部品。
【請求項６】
室内外を区分する壁体が、外壁構造と、この外壁構造の内側に設けられた構造材と、この構造材の室内側に張設された内壁材とを備えた構造であり、
前記壁体を横断して設けられ、室内外に通じる通風路を構成する換気開口部品に送風機部が装着される換気装置であって、
前記換気開口部品が、前記壁体の外壁構造に開けられた貫通孔に挿通され、固定部品で前記外壁構造を挟持して装着され、
前記外壁構造から前記内壁材の背面近くまでの通風路を形成する直管形の第１の風路部材と、
前記第１の風路部材の室内側に連結部品により連結され、前記第１の風路部材端から前記内壁材の室内側までの通風路を形成する第２の風路部材と、
前記第２の風路部材の室内側に嵌め装着され、前記内壁材の内面に沿って、前記第２の風路部材の室内側を覆う、通風孔を有する意匠パネルと、から構成され、
前記送風機部が前記第２の風路部材の室内開口部から前記第１の風路部材内の室内側端部分に装着され、
前記意匠パネルの通風孔は、前記第２の風路部材の室内開口部のプロフィールに倣った形状のスリットであり、前記スリットの外側縁に前記第２の風路部材の室内開口部に内嵌合させる嵌込部が設けられている換気装置。
【請求項７】
室内外を区分する壁体が、外壁構造と、この外壁構造の内側に設けられた構造材と、この構造材の室内側に張設された内壁材とを備えた構造であり、
前記壁体を横断して設けられ、室内外に通じる通風路を構成する換気開口部品に送風機部が装着される換気装置であって、
前記換気開口部品が、前記壁体の外壁構造に開けられた貫通孔に挿通され、固定部品で前記外壁構造を挟持して装着され、
前記外壁構造から前記内壁材の背面近くまでの通風路を形成する直管形の第１の風路部材と、
前記第１の風路部材の室内側に連結部品により連結され、前記第１の風路部材端から前記内壁材の室内側までの通風路を形成する第２の風路部材と、
前記第２の風路部材の室内側に嵌め装着され、前記内壁材の内面に沿って、前記第２の風路部材の室内側を覆う、通風孔を有する意匠パネルと、から構成され、
前記送風機部が前記第２の風路部材の室内開口部から前記第１の風路部材内の室内側端部分に装着され、
前記第２の風路部材の室内開口部に前記送風機部の前面を通風可能に覆う意匠シートを設けた換気装置。
【請求項８】
請求項６又は請求項７のいずれかに記載の換気装置であって、前記壁体の外壁構造が外壁材とこの内側に設けられた断熱壁材とからなり、前記第１の風路部材は、外壁材の室外側面と断熱壁材の室内側面とをパッキンを挟んで挟持する前記固定部品によって前記外壁構造に固定される構成である換気装置。
【請求項９】
請求項６から８のいずれかに記載の換気装置であって、前記第２の風路部材は、室内側に内壁材の室内側面に沿うフランジを備え、前記第１の風路部材の室内側開口端に外嵌合によって嵌められ、連結部品により連結される換気装置。
【請求項１０】
請求項８に記載の換気装置であって、前記第１の風路部材は外周にネジ山を備えた管体であり、前記連結部品及び前記固定部品は、前記第１の風路部材にネジ嵌めされるリング構造である換気装置。
【請求項１１】
請求項６から１０のいずれかに記載の換気装置であって、前記意匠パネルの通風孔を除く背面に吸音材を貼着した換気装置。
【発明の詳細な説明】
【技術分野】
【０００１】
本発明は、住居の壁体を横断して設けられる換気開口部品及び換気開口部品を備えた換気装置に関するものである。
【背景技術】
【０００２】
住居の壁体を横断して設けられる換気開口部と換気開口部を通じて送風する送風機とによって室内の換気を行う換気装置には、換気開口部に送風機を設け、換気開口部から直接換気を行うものや、換気開口部にダクトを繋げ、天井裏に設けた送風機によって天井面から換気を行うものがある。いずれにしても室内外を隔てる壁体を貫く換気開口部によって換気が行われることは同じである。なお、この種の従来技術は、特許文献１，２，３に開示されている。
【０００３】
【特許文献１】特開平９−７９６２８号公報
【特許文献２】特開２００２−２８６２６２号公報
【特許文献３】特開２０００−３９１９５号公報
【発明の開示】
【発明が解決しようとする課題】
【０００４】
従来のこの種の換気装置では、室内外を隔てる壁体を貫く換気開口部の構造に、施工性の改善や意匠性の向上等の種々の工夫がはらわれている。壁体は、単純な仕切りではなく、屋外側を構成する外壁構造と、外壁構造の内側に設けられた柱等を含む構造材と、この構造材の室内側に張設された内壁材とからなる構造等、結構複雑な構造をしている。外断熱工法を採用した壁体では、外壁構造が、外壁材とこの内側に外壁空気層を挟んで設けられた断熱壁材とで構成されている。外断熱工法による壁体は、夏場の逆転結露に対して有効であるが、外壁断熱の効果を支えているのは、外壁材と外壁空気層及び断熱壁材、すなわち外断熱部分の空気断熱である。外壁空気層に外気が漏れ、さらに断熱壁材を漏れて構造材のある内壁空気層に通じてしまうと、構造材が結露するなど、重大な問題となる。
こうした構造の壁体に従来の換気開口部を設ければ、屋外開口箇所や外断熱部分を貫通する部分にコーキング材等でしっかりしたシールを施すなど、気密を保持することが必要である。この作業は結構面倒であり、高所の場合にはしっかりしたシールができないこともある。
【０００５】
本発明は、上記した課題を解決するためになされたものであり、その目的とするところは、構造の複雑な壁体に対しても施工性良く装着できる換気開口部品を得ることであり、外壁断熱の壁構造にも容易に施工できる換気開口部品を得ることであり、その意匠性の向上を図ること、そしてその換気開口部品を備えた換気装置を提供することである。
【課題を解決するための手段】
【０００６】
上記課題を解決するために本発明は、室内外を区分する壁体が外壁構造と、外壁構造の内側に設けられた構造材と、この構造材の室内側に張設された内壁材とを備えた構造であり、この壁体を横断して設けられ、室内外に通じる通風路を構成する換気開口部品に送風機部が装着される換気装置について、換気開口部品を、壁体の外壁構造に開けられた貫通孔に挿通され、固定部品で外壁構造を挟持して装着され、外壁構造から内壁材の背面近くまでの通風路を形成する直管形の第１の風路部材と、第１の風路部材の室内側に連結部品により連結され、第１の風路部材端から内壁材の室内側までの通風路を形成する第２の風路部材と、第２の風路部材の室内側に嵌め装着され、内壁材の内面に沿って、第２の風路部材の室内側を覆う、通風孔を有する意匠パネルとから構成し、送風機部を第２の風路部材の室内開口部から第１の風路部材内の室内側端部分に装着する手段を採用する。
【発明の効果】
【０００７】
本発明によれば、換気開口部品が、壁体の外壁構造に開けられた貫通孔に挿通され、固定部品で外壁構造を挟持して装着される第１の風路部材と、第１の風路部材の室内側に連結部品により連結され、第１の風路部材端から内壁材の室内側までの通風路を形成する第２の風路部材により構成されているため、第１の風路部材を装着するだけで第２の風路部材を室内側から簡単に装着でき、送風機部を装着するだけで換気装置を構成することができる。外壁構造は固定部品で挟持され、第１の風路部材は直管形であるため、貫通孔は大きな口径にする必要はなく、コーキング材で充填する必要もない。室内側は、内壁材の内面に沿って、第２の風路部材の室内側を覆う、意匠パネルで構成されるので、外観性も良い。
【発明を実施するための最良の形態】
【０００８】
本発明の換気装置は、室内外を区分する壁体が外壁構造と、外壁構造の内側に設けられた構造材と、構造材の室内側に張設された内壁材とを備え、さらに外壁構造が外壁材とこの内側に設けられた断熱壁材とからなる壁体を横断して設けられる換気開口部品に排気用または給気用の送風機部を装着して構成される。
【０００９】
換気開口部品は、壁体の外壁構造に開けられた貫通孔に挿通され、ナット型の固定部品である固定リングで外壁構造を挟持して装着され、外壁構造から内壁材の背面近くまでの通風路を形成する直管形で外周にネジ山を持つ第１の風路部材を備えている。この第１の風路部材の室内側にナット型の連結部品である連結リングにより第２の風路部材が連結されている。第２の風路部材は、第１の風路部材端から内壁材の室内側までの通風路を形成している。送風機部は、第２の風路部材の室内開口部から第１の風路部材内の室内側端部分に装着されている。第２の風路部材の室内側には、内壁材の内面に沿って、第２の風路部材の室内側を覆う、通風孔を有する意匠パネルが嵌め装着されている。外壁材と断熱壁材の間には外壁空気層が設けられていて、外壁材の外表と断熱壁材の室内側面に当たって第１の風路部材にネジ嵌めされた固定リングにはパッキンが挟み込まれ、貫通孔周りの気密が保持されている。
【００１０】
換気開口部品は、その第１の風路部材が壁体の外壁構造に開けられた貫通孔に挿通され、パッキンを挟んで固定リングで外壁構造を挟持して装着されているため、外壁構造の外断熱部分の気密は保持され、しっかり外壁構造に固定される。この第１の風路部材を基にして、室内側からの操作で連結リングにより第２の風路部材が連結され、第１の風路部材端から内壁材の室内側までの通風路が形成され、送風機部を通風路に装着すれば換気装置が構成される。第１の風路部材は直管形であるため、貫通孔は大きな口径にする必要はなく、固定リングでパッキンを挟んで取付けられているため、コーキング材を充填する必要もない。室内側は、内壁材の内面に沿って、第２の風路部材の室内側を覆う、意匠パネルで構成されるので、外観性も良い。
【００１１】
実施の形態１．
図１〜図３によって示す本実施の形態は、排気により換気する換気装置に関するものである。図１は、取付け状態で示す換気装置の断面図、図２は、換気開口部品の分解斜視図、図３は、換気装置の分解斜視図である。
【００１２】
本実施の形態の換気装置は、室内外を区分する壁体１が外壁構造２と、外壁構造２の内側に設けられた柱等の構造材３と、構造材３の室内側に張設された石膏ボード等の内壁材４とを備え、さらに外壁構造２が外壁材５とこの内側に設けられた断熱壁材６と、外壁材５と断熱壁材６の間の外壁空気層７からなる壁体１を横断して設けられる換気開口部品８に排気用または給気用の送風機部９（本実施の形態では、プロペラファンによる排気用の送風機で構成されている）を装着して構成される。なお、縦横に設けられた構造材３の位置する部分の構造材３を除く部分は、内壁空気層１０となっている（図１参照）。
【００１３】
換気開口部品８は、直管形で外周にネジ山１１を持つ第１の風路部材１２と角筒形の第２の風路部材１３からなる。第１の風路部材１２は、壁体１の外壁構造２に開けられた貫通孔に挿通され、ナット型の固定部品である二個の固定リング１４がネジ山１１に嵌められ、この固定リング１４で外壁構造２を外側と内側とから挟持して装着され、外壁構造２から内壁材４の背面近くまでの通風路を形成する。外壁材５の外表と断熱壁材６の室内側面に当たって第１の風路部材１２にネジ嵌めされた二個の固定リング１４にはそれぞれリング状のパッキン１５が挟み込まれ、貫通孔周りの気密が保持される。第１の風路部材１２の屋外開口端は、外壁材５に設けられた屋外フード１６で包まれる。この第１の風路部材１２の室内側に、ナット型の連結部品である連結リング１７により第２の風路部材１３が同軸上に連結され、室内外に連なる通風路が形成される（図２参照）。
【００１４】
第２の風路部材１３は、樹脂の一体成型物であり、箱形の基体部分１８の背部に、第１の風路部材１２に外嵌めできる接続筒部１９を備えている。基体部分１８の前面の室内開口部の周囲にはフランジ２０が形成されている。第２の風路部材１３は、内壁材４に開けられた角形の開口から、第１の風路部材１２端に接続筒部１９を外嵌めして接続される。第２の風路部材１３の固定は、二個の連結リング１７で行われている。まず、一つの連結リング１７を第１の風路部材１２端にネジ嵌合させておいて、その連結リング１７にリング状のパッキン１５を当てる。この後、第２の風路部材１３を、内壁材４に開けられた角形の開口から、第１の風路部材１２端にその接続筒部１９を外嵌めして、室内側からもう一つの連結リング１７を第１の風路部材１２端にネジ嵌めして接続筒部１９を二個の連結リング１７で挟み付けることによって固定される。第２の風路部材１３のフランジ２０は、内壁材４の開口縁に当接される。これにより、第２の風路部材１３によって第１の風路部材１２端から内壁材４の室内側までの通風路が形成される。
【００１５】
送風機部９は、第２の風路部材１３の室内開口部から第１の風路部材１２内の室内側端部分に装着される。送風機部９のベルマウスを形成する前パネル２１は、第２の風路部材１３の基体部分１８と接続筒部１９の境に形成された段部に当てられる。送風機部９の前パネル２１の前面には吸込口を除き、前パネル２１を被覆する、例えば黒色に彩色された意匠シート２２が装着される。送風機部９の電源コード２３は、第２の風路部材１３に開けられた孔から引出される。この孔には弾性体でできたコードブッシュが装着され、この部分の気密が保たれる。第２の風路部材１３の室内側には、内壁材４の内面に沿って、第２の風路部材１３の室内側全面を覆う、通風孔２４を有するプレート状の意匠パネル２５が嵌め装着される。意匠パネル２５の通風孔２４は、第２の風路部材１３の室内開口部のプロフィールに倣った形状のスリットで構成され、そのスリットの外側縁に第２の風路部材１３の室内開口部に内嵌合させる嵌込部２６が設けられている。意匠パネル２５は、この嵌込部２６の基体部分１８への嵌込みにより第２の風路部材１３に装着されるが、突起と溝による係止構造が意匠パネル２５側と基体部分１８側とに設けられていて取付けの安定性が確保される。嵌込部２６のこの構成は、意匠パネル２５の室内側突出寸法を少なくしている。
【００１６】
換気開口部品８は、その第１の風路部材１２が壁体１の外壁構造２に開けられた貫通孔に挿通され、パッキン１５を挟んで固定リング１４で外壁構造２を挟持して装着されているため、外壁構造２の外断熱部分の気密は保持され、しっかり外壁構造２に固定される。この第１の風路部材１２を基にして、室内側からの操作で連結リング１７により第２の風路部材１３が連結され、第１の風路部材１２端から内壁材４の室内側までの一連の通風路が形成され、送風機部９を通風路に装着すれば換気装置が構成される。第１の風路部材１２は直管形であるため、貫通孔は大きな口径にする必要はなく、固定リング１４でパッキン１５を挟んで取付けられているため、コーキング材等を隙間に充填する必要もない。室内側は、内壁材４の内面に沿って、第２の風路部材１３の室内側を覆う、薄い意匠パネル２５で構成されるので、外観性も良い。
【００１７】
第２の風路部材１３は、第１の風路部材１２に固定されるため、そのフランジ２０を使って内壁材４にネジ等で固定する必要がなく、フランジ２０の厚さは例えば、５ｍｍ〜２ｍｍ程度でよく、室内側への突出寸法は少なくなる。意匠パネル２５の開口部からは送風機部９のファン等は見えず、意匠シート２２が見えるだけであり、外観性が良い。また、送風機部９の前パネル２１が汚れることもなく、意匠シート２２を外して清掃するだけで美観を保つことができる。
【００１８】
施工に際しては、第１の風路部材１２は内壁材４の内側に開口端が位置するため、内壁材４は開口を開けずに設けることができ、後で開口を送風機部９の外殻寸法より一回り大きな開口を開ければ良く、穴あけに当り第１の風路部材１２が干渉することもない。また、内壁材４にクロス等を貼り付ける場合、内壁材４から突出する部分がないので貼り付け作業は容易で綺麗に貼ることができる。クロスに開ける開口も、第２の風路部材１３のフランジ２０でカバーされるため、内壁材４の開口と同一でよく、開口に沿ってカットするだけで簡単に開けることができる。第１の風路部材１２と第２の風路部材１３の二部品で通風路を構成しているので、例えば、貫通孔と室内側の開口の軸中心が多少ずれていても、第１の風路部材１２と第２の風路部材１３の接続部分で吸収することができる。第１の風路部材１２と第２の風路部材１３の接続部分にパッキン１５を挟んでいるため、内壁空気層１０と室内側を空気断熱でき、室内側の湿気などが内壁空気層１０に入り込み構造材３を劣化させるような不具合を起こすことがない。
【００１９】
実施の形態２．
図４によって示す本実施の形態は、第２の風路部材の接続筒部の形態を変えたものであり、基本的に実施の形態１のものと同じである。従って、実施の形態１と同じ部分については、同じ符号を用いそれらについての説明は省略する。図４は、取付け状態で示す換気装置の断面図である。
【００２０】
本実施の形態の換気装置の第２の風路部材１３は、その接続筒部１９が軸方向に長い筒状に形成されている。パッキン１５は、接続筒部１９の内径部分に貼り付けられている。こうした構成を採ることにより、第２の風路部材１３の連結強度が増すとともに連結リング１７の奥側のものは廃止することも可能となり、施工性が増す。
【００２１】
実施の形態３．
図５と図６によって示す本実施の形態は、意匠パネルに特徴があり、それ以外は基本的に実施の形態１のものと同じである。従って、実施の形態１と同じ部分については、同じ符号を用いそれらについての説明は省略する。図５は、取付け状態で示す換気装置の断面図、図６は意匠パネルの斜視図である。
【００２２】
本実施の形態の換気装置の意匠パネル２５は、半径方向に通風孔２４を設け、前面は平面形状になっている。前面のパネル２７の背面には全面を覆う厚みの薄い吸音材２８が貼られ、さらにその中央に第２の風路部材１３の基体部分１８よりやや小さい、厚みの厚い吸音材２９が貼り付けられている。通風孔２４に続く風路は、図５に示すように、９０度に三箇所曲がったクランク状になっていて、屋外から第１の風路部材１２と第２の風路部材１３を通して室内が見えることがなく、消音効果も得られる構造である。吸音材２８，２９の貼設により、外音が吸収されるとともに例えば、冬季に送風機部９を停止した場合にパネル２７表面が結露することを防ぐことができる。
【００２３】
送風機部９は、軸流ファン式であり、その外径寸法の７０％程度の内径を有するベルマウスで羽根の吸込み外周部分を覆った形状である。このような送風機部９は、風量は少ないが静圧が高く、しかも羽根の吸込み正面にパネル２７などの障害物が位置していても風量の低下が少なく、騒音の上昇も少ないという特徴がある。従って、このような構造の意匠パネル２５に適している。
【００２４】
なお、図７や図８に示すように第２の風路部材１３は、基体部分１８の室内開口部が丸形であっても良く、意匠パネル２５も角形でも丸形でも良い。図８に示す第２の風路部材１３の施工では、内壁材４にロータリーカッターといわれる道具を使って簡単に丸形の室内開口が開けられる。
【図面の簡単な説明】
【００２５】
【図１】取付け状態で示す換気装置の断面図である。（実施の形態１）
【図２】換気開口部品の分解斜視図である。（実施の形態１）
【図３】換気装置の分解斜視図である。（実施の形態１）
【図４】取付け状態で示す換気装置の断面図である。（実施の形態２）
【図５】取付け状態で示す換気装置の断面図である。（実施の形態３）
【図６】意匠パネルの斜視図である。（実施の形態３）
【図７】他の形態の換気開口部品の斜視図である。（実施の形態３）
【図８】他の形態の換気開口部品の斜視図である。（実施の形態３）
【符号の説明】
【００２６】
１  壁体、  ２  外壁構造、  ３  構造材、  ４  内壁材、  ５  外壁材、  ６  断熱壁材、  ８  換気開口部品、  ９  送風機部、  １１  ネジ山、  １２  第１の風路部材、  １３  第２の風路部材、  １４  固定リング、  １５  パッキン、  １７  連結リング、  ２０  フランジ、  ２２  意匠シート、  ２４  通風孔、  ２５  意匠パネル、  ２６  嵌込部、  ２８，２９  吸音材。
【図１】
0004695984.tif 000002
【図２】
0004695984.tif 000003
【図３】
0004695984.tif 000004
【図４】
0004695984.tif 000005
【図５】
0004695984.tif 000006
【図６】
0004695984.tif 000007
【図７】
0004695984.tif 000008
【図８】
0004695984.tif 000009